(57)【要約】【課題】設けられた仕切板の位置変更が容易で、側板や仕切板下部に突出部を設けることなく、しかも全体的に強度をもたせた収納装置を提供する。【解決手段】左右両側板１，２の上部に天板３が接合されてなる枠体と、その枠体の背面側に設けられた取付板４，５と、前記枠体内に設けられ、枠体内空間を左右に分割する二以上の仕切板１１，１２と、その仕切板１１，１２と側板１，２の間、及び隣接する仕切板１１，１２間に設けられた二以上の棚板２１〜２３，３１，３２，４１〜４４とからなり、仕切板１１，１２は、天板３と取付板４，５に着脱可能な結合部材５０によって固定されるとともに、少なくとも一の棚板３１が着脱可能な結合部材５０によって隣接する仕切板１１，１２間に固定され、しかも、仕切板の取付位置を、枠体内の左右方向の所定位置に変更可能にした。【選択図】      図１
2006223459.tif 000002
【特許請求の範囲】
【請求項１】
左右両側板の上部に天板が接合されてなる枠体と、
その枠体の背面側に設けられた取付板と、
前記枠体内に設けられ、枠体内空間を左右に分割する仕切板と、
その仕切板と前記側板の間に設けられた一又は二以上の棚板と、からなる収納装置であって、
前記仕切板は、前記天板と取付板に着脱可能な結合部材によって固定されるとともに、前記仕切板の取付位置を、前記枠体内の左右方向の所定位置に変更可能にしたことを特徴とする収納装置。
【請求項２】
左右両側板の上部に天板が接合されてなる枠体と、
その枠体の背面側に設けられた取付板と、
前記枠体内に設けられ、枠体内空間を左右に分割する二以上の仕切板と、
その仕切板と前記側板の間、又は／及び、隣接する仕切板間に設けられた一又は二以上の棚板と、からなる収納装置であって、
前記仕切板は、前記天板と取付板に着脱可能な結合部材によって固定されるとともに、前記仕切板の取付位置を、前記枠体内の左右方向の所定位置に変更可能にし、しかも、各仕切板は、少なくとも一枚の、着脱可能な結合部材によって固定される固定用の棚板によって、前記隣接する仕切板又は前記側板に必ず固定されるようにしたことを特徴とする収納装置。
【請求項３】
前記固定用の棚板の固定位置を、前記仕切板の高さの半分以下にしたことを特徴とする請求項２に記載の収納装置。
【請求項４】
前記仕切板は、床面に固定部材を使用しての固定はされていないことを特徴とする請求項１乃至３のうちいずれか一つに記載の収納装置。
【請求項５】
前記仕切板の下面には、仕切板の前記左右より突出することがないように仕切板の厚みよりも狭く、かつ床面に損傷を与えない固定部材が設けられ、仕切板は、その固定部材を使用して床面に固定されていることを特徴とする請求項１乃至３のうちいずれか一つに記載の収納装置。
【請求項６】
前記取付板は、水平に延びる上下２本の板材であることを特徴とする請求項１乃至５のうちいずれか一つに記載の収納装置。
【請求項７】
前記取付板は、壁面に固定可能であることを特徴とする請求項１乃至６のうちいずれか一つに記載の収納装置。
【請求項８】
前記固定用の棚板にかえて、着脱可能な結合部材によって固定されるパイプを使用したことを特徴とする請求項２乃至７のうちいずれか一つに記載の収納装置。
【請求項９】
前記固定用の棚板は、伸縮自在で固定時には伸縮を不可にするロック機構を有することをことを特徴とする請求項２乃至７のうちいずれか一つに記載の収納装置。
【請求項１０】
前記伸縮自在の棚板にかえて伸縮自在で固定時には伸縮を不可にするロック機構を有するパイプを使用したことを特徴とする請求項９に記載の収納装置。
【発明の詳細な説明】
【技術分野】
【０００１】
本発明は、例えばクローゼットの内部等に設けられる収納装置に関するものである。
【背景技術】
【０００２】
近年、収納に関して、従来からの箪笥に代わってクローゼット、特に内部が広いウォークインクローゼット等の収納装置を採用する例が増えている。
これは従来からの納戸あるいは大型の箪笥の融合・発展型ともいえるもので、衣類のみならず鞄、扇風機、ストーブ、スキー、釣竿、寝具、その他雑多な各種家庭用品の保管に使用される場合が多い。従って、収納される物品は様々なサイズである。
【０００３】
クローゼットの施工について、大工が施工現場で合板や角材等を切断・加工して取り付ける場合は、固定棚を適当な間隔で完全固定して施工する場合もあったが、近年は各社からクローゼットに使用される各種棚が考案・発売されている。一般的には、箪笥のような通常の収納では左右の側板と上下の板（天板、地板）で箱体を形成し、これに扉と棚等を取り付けるが、ウォークインクローゼットの場合は一般的に棚を作り付けとするので、地板に相当する部材は使用されない場合が大半である。
【０００４】
例えば、特許文献１〜３のように、パイプや側板と天板等で枠体を形成し、棚板を設置していくシステム的な収納内部装置が一般化している。また、棚板の幅を可変式とした特許文献４〜７等が提案されている。棚の奥行きが可変式となった特許文献８も開示されている。棚位置が可変式となった棚はこれらの物品のサイズに対応できるようになっていて、棚の高さが簡単に変えられるようになっている。側板（仕切板）の位置が変更可能な例としては、特許文献９，１０があげられ、更に、棚の幅と高さが同時に変更可能な特許文献１１も開示されている。
【特許文献１】特開平７−２７５０５１号公報
【特許文献２】特開平７−３２７７５４号公報
【特許文献３】特許第２６５１０００号
【特許文献４】実開平２−４５０３２号公報
【特許文献５】実公平６−２０４２２号公報
【特許文献６】実開昭６２−７３７３６号公報
【特許文献７】実開平７−４３０４６号公報
【特許文献８】特開２０００−２１７６４４号公報
【特許文献９】実開昭６０−１３０７３０号公報
【特許文献１０】特開２００１−３２７３３９号公報
【特許文献１１】実開昭６３−３３８３０号公報
【発明の開示】
【発明が解決しようとする課題】
【０００５】
しかし、従来の収納、特にウォークインクローゼット用の棚に関しては次のような問題点があった。
（１）仕切板の位置変更に制約がある。
近年では多くのウォークインクローゼット用の棚に関しては、棚板の上下方向の位置変更が可能であるが（特許文献１，２）、横方向の位置変更に関しては、特許文献１０のように仕切板の移動、特許文献９，１１のような側板移動が提案されているものの、強度の問題からあまり一般的とは言えず、通常は棚の上下方向の位置変更に留まっているのが現状である。
（２）側板や仕切板の下部に突出部がある。
従来品の多くは強度を確保する点から、側板や仕切板の下部を床に固定するＬ金具が必要（特許文献１，２）で、可動式側板固定用レールが必要（特許文献１１）なタイプもある。側板や仕切板の下部に突出部があると、一般家庭でよく使用されるキャスター付きコンテナ型収納ボックスの出し入れに支障がある。そして、金具が邪魔になって側板の幅一杯までは使用できないので側板付近に無駄な空間ができてしまう。また、これらの金具の使用は床面に傷を付けることになる。
（３）強度が低い。
側板が移動できる特許文献９では側板に大きな切れ込みがあり、強度が低い。また、特許文献１０のように、棚板の幅が大の場合は棚に置いた物の重量で棚が撓んでしまう。この、棚の撓みには特許文献９のような中間での支持が効果的だが、この方法では棚板高さの変更の制限がある。
【０００６】
そこで、本発明の目的とするところは、設けられた仕切板の位置変更が容易で、側板や仕切板下部に突出部を設けることなく、しかも全体的に強度をもたせた収納装置を提供することにある。
【課題を解決するための手段】
【０００７】
上記の目的を達成するために、本発明の収納装置は、左右両側板の上部に天板が接合されてなる枠体と、その枠体の背面側に設けられた取付板と、前記枠体内に設けられ、枠体内空間を左右に分割する仕切板と、その仕切板と前記側板の間に設けられた一又は二以上の棚板と、からなる収納装置であって、
前記仕切板は、前記天板と取付板に着脱可能な結合部材によって固定されるとともに、前記仕切板の取付位置を、前記枠体内の左右方向の所定位置に変更可能にしたことを特徴とする。
【０００８】
また、本発明の収納装置は、左右両側板の上部に天板が接合されてなる枠体と、その枠体の背面側に設けられた取付板と、前記枠体内に設けられ、枠体内空間を左右に分割する二以上の仕切板と、その仕切板と前記側板の間、又は、隣接する仕切板間、あるいは、仕切板と前記側板の間及び隣接する仕切板間の両方、に設けられた一又は二以上の棚板と、からなる収納装置であって、
前記仕切板は、前記天板と取付板に着脱可能な結合部材によって固定されるとともに、前記仕切板の取付位置を、前記枠体内の左右方向の所定位置に変更可能にし、しかも、各仕切板は、少なくとも一枚の、着脱可能な結合部材によって固定される固定用の棚板によって、前記隣接する仕切板又は前記側板に必ず固定されるようにしたことを特徴とする。
【０００９】
前記固定用の棚板の固定位置は、前記仕切板の高さの半分以下であることが好ましい。
また、仕切板は、床面に固定部材を使用しての固定はされていないことが好ましい。
また、これにかえて、前記仕切板の下面に、仕切板の前記左右より突出することがないように仕切板の厚みよりも狭く、かつ床面に損傷を与えない固定部材を設け、仕切板を、その固定部材を使用して床面に固定するようにすることもできる。
【００１０】
また、前記取付板を、水平に延びる上下２本の板材で構成することもできる。また、取付板を一枚の板材で構成することもできる。
また、前記取付板を壁面に対して固定可能にすることもできる。
【００１１】
また、前記固定用の棚板にかえて、着脱可能な結合部材によって固定されるパイプを使用することもできる。
さらに、前記固定用の棚板を、伸縮自在で固定時には伸縮を不可にするロック機構を有するものとすることもできる。また、前記伸縮自在の棚板にかえて伸縮自在で固定時には伸縮を不可にするロック機構を有するパイプを使用することもできる。
【発明の効果】
【００１２】
本発明の収納装置によれば、仕切板は、天板と取付板に着脱可能な結合部材によって固定され、さらに仕切板と側板との間には棚板が設けられているので、仕切板はその下面を床面に直接固定しなくても強度は十分で安定性がよい。
よって、仕切板の下面からは突出部がないのでキャスター付きコンテナ型収納ボックスの出し入れに支障が無く、スムースに出し入れ可能である。すなわち仕切板と側板の幅一杯までキャスター付きコンテナ型収納ボックスを入れる事が可能である。
特に仕切板が枠内に２以上設けられる場合には、仕切板はそれぞれ固定用の棚板によって隣接する仕切板又は側板に、着脱可能な結合部材によって固定されるので、仕切板の安定性は一層強くなる。
また、仕切板の取付位置は、枠体内の左右方向の所定位置に変更可能であるので、引出しや棚板の位置を様々にすることができる。
【００１３】
また、固定用の棚板の位置を、仕切板の高さの半分以下にすることにより仕切板を一層安定化することができる。
さらに、固定用の棚板にかえて、パイプを使用したり、あるいは伸縮自在の棚板やパイプを使用することによってパイプにハンガー等を掛けることができる等汎用性が広がる。
【発明を実施するための最良の形態】
【００１４】
図１乃至図４を参照して、本発明の実施形態に係る収納装置について説明する。この収納装置は、これに限定されるものではないが、ウォークインクローゼットとして使用される場合の例を示した。
本発明の実施形態に係る収納装置は、図１及び図２に示すように、同じ大きさの左右両側板１，２の上面に天板３が接合されて構成された下側に開口した略コ字状の枠体と、その枠体の背面側（図２では紙面の裏面側）に設けられた上下の取付板４，５と、枠体内に設けられ、枠体内空間を縦に分割する仕切板１１，１２と、その仕切板１１，１２と側板１，２の間に設けられた複数の棚板２１〜２３，３１，３２，４１〜４４とからなる。図２で示す場合、棚板２１〜２３は、仕切板１１と左側の側板１との間に、棚板３１，３２は隣接する仕切板１１，１２間に、そして、棚板４１〜４４は、仕切板１２と右側の側板２との間にそれぞれ設けられている。
【００１５】
なお、ここでは側板１，２の上面に天板３を結合した、いわゆる横勝ちの納めとしたものを採用したが、側板１，２の上部側面に天板３の側面を結合した、いわゆる縦勝ちの納めとしたものであってもよい。上下の取付板４，５は、左右両側板１，２の背面側に接合するようにしたが、図５に示すように、上下の取付板４，５に対応する仕切板１１，１２の位置に切り欠き１１ｂ，１２ｂを設けて、その切り欠き１１ｂ，１２ｂに上下の取付板４，５を嵌め込むようにしてもよい。また、側板１，２に対しては、上下の取付板４，５の端部を側板１，２の側面に特に固定金具を使用することなく当接させるだけにするか、あるいは、同様に切り欠きを設けて上下の取付板４，５を嵌め込むようにすることができる。このように、切り欠きに上下の取付板４，５を嵌め込むようにすれば、奥側の壁面との間に生じる隙間をなくすことができる。
【００１６】
上側の取付板４には、水平方向に複数のダボ穴４ａが、同じく下側の取付板５にも水平方向に複数のダボ穴５ａがあけられている。さらに、天板３にも水平方向に複数のダボ穴３ａがあけられている。ダボ穴３ａ，４ａ，５ａは、左側の側板１から右側の側板２にかけて共通した等間隔で設けられている。よって、左側の側板１からｎ番目（本実施例ではｎは１〜１１）のダボ穴３ａ，４ａ，５ａを結ぶ平面は側板１，２に平行であり、そのダボ穴３ａ，４ａ，５ａを結ぶ平面の位置に仕切板１１，１２を取付けることができるようになっている。また、ダボ穴３ａ，４ａ，５ａが設けられている位置であれば、枠体内の左右方向において仕切板１１，１２の取付位置を容易に変更できるようになっている。
また、取付板４，５は、壁面に対して固定されるようになっている。
【００１７】
仕切板１１，１２には、図４に示すように、ダボ穴１１ａ，１２ａが前側（枠体に取付けた場合には枠体の正面側（図２では紙面の表面側））と後側（枠体に取付けた場合には枠体の背面側（図２では紙面の裏面側））にそれぞれ上下方向に等間隔に設けられている。なお、枠体に仕切板１１，１２を取付けた場合に、それらに設けられたダボ穴１１ａ，１２ａに相対向する側板１，２の位置にもダボ穴（図示を省略した）が設けられている。ダボ穴は、予め工場にて一定間隔に穿孔され、ダボ穴は棚板の設置間隔に合わせて決定され、一般には３０〜５０ｍｍ間隔程度で穿孔される場合が多い。
【００１８】
また、仕切板１１，１２の上面側と後側上部と後側下部（図示を省略した）の３個所には、結合部材５０が設けられていて、天板３と上下取付板４，５に着脱可能に固定されている。なお、側板１，２の上面側と後側上部と後側下部にも同様の結合部材５０が設けられていて、天板３と上下取付板４，５に固定されている。側板１，２を固定する場合には、必ずしも着脱可能な結合部材５０を使用しなくてもよい。
この結合部材５０に関しては特に限定されるわけではないが、着脱可能な市販の収納部材組立て用金具を用いた。ピン状のオス金具と回転すると引き寄せの働くメス金具とからなり、ピン状のオス金具は、片方がネジ状もう片方が窪みのある形状となっていて、ドライバー等でダボ穴にねじ込む事が出来る。また、メス金具はオス金具の窪み部分を引き寄せるようになっている（例えば、オス金具をラフィックスボルトとし、メス金具をラフィックス本体とする場合等）。基本的には外部から見て傷を付ける事無く、取付けと撤去が可能なものであればよい。
また、仕切板１１，１２は、床面１００に対しては特に固定部材を使用して固定しないようにしてある。
【００１９】
複数の棚板のうち棚板２２，２３は側板１と仕切板１１に設けられたダボ穴に挿入されたダボＴの上に載置されている。また、棚板３２は仕切板１１と仕切板１２に設けられたダボ穴に挿入されたダボＴの上に載置されている。さらに、棚板４２，４３，４４は仕切板１２と側板２に設けられたダボ穴に挿入されたダボＴの上に載置されている。
これに対して、棚板２１，３１，４１（図１〜図３では正面の部分を黒塗して示した）は固定用の棚板であり、棚板２１，３１，４１の左側の前側と後側、そして右側の前側と後側には、仕切板１１，１２に設けられたと同様な結合部材５０が設けられ、結合部材５０を介して、棚板２１は仕切板１１と側板１との間に、棚板３１は隣接する仕切板１１，１２間に、そして、棚板４１は、仕切板１２と側板２との間に強固に取付られている。
【００２０】
なお、側板１，２，天板３，取付板４，５，仕切板１１，１２，棚板２１〜２３，３１，３２，４１〜４４の材質は特に限定されるものではなく、木材でも金属でもあるいはプラスチック等であってもよい。
【００２１】
本発明の実施形態に係る収納装置の施工方法の一例について説明する。この施工例は、図５に示したように、切り欠き１１ｂ，１２ｂを設けた仕切板１１，１２を使用し、上下の取付板４，５をその切り欠き１１ｂ，１２ｂに嵌め込むとともに、取付板４，５の両端を側板１，２の側面に当接し側板１，２とは特に固定しないようにしたタイプのものを、両側壁及び奥壁で囲まれた空間に設置する場合について説明する。なお、両側壁及び奥壁で囲まれた空間は、間仕切りパネル等を使用して形成された空間であってもよい。
【００２２】
（１）まず、施工現場において、左右両側板１，２の設置を行う。このとき、左右両側板１，２を対応する側壁に固定ビスを使用して固定する。なお、側壁に対して左右両側板１，２の固定を特に行わない場合もある。
（２）次に、設置された左右両側板１，２間の距離と同一にカットされた上側取付板４及び下側取付板５を両側板１，２間に正面から挿入して奥壁に固定ビスを使用して固定する。なお、上下取付板４，５に設けられるダボ穴４ａ，５ａは、予め工場にて一定間隔に穿孔される。このダボ穴４ａ，５ａは仕切板１１，１２の設置間隔に合わせて決定される。また、棚板の幅と連動するので、概ね１００〜３００ｍｍの適当な設置間隔とするのが好ましい。
（３）次に、側板１，２の上面に天板３を載せて専用ビスを使用して結合する。
【００２３】
（４）次に、上述した結合金具５０を構成する、オス金具（例えば、ラフィックスボルト）を仕切板１１，１２の取付位置に合わせて、天板３，上下取付板４，５にドライバーを使用して締め付け固定する。
（５）次に、仕切板１１，１２をそれぞれ側板１，２と天板３で囲まれた枠体内に挿入し、天板３，上下取付板４，５から突出したオス金具まで仕切板１１，１２をスライドさせ、オス金具を、仕切板１１，１２に設けられた結合金具５０を構成する、メス金具（例えば、ラフィックス本体）に結合し、メス金具をドライバーで締め付けることにより仕切板１１，１２を天板３，及び上下取付板４，５に強固に固定する。
（６）次に、上述した結合金具５０を構成する、オス金具（例えば、ラフィックスボルト）を固定用の棚板２１，３１，４１の取付位置に合わせて、左側の側板１，左側の仕切板１１，右側の仕切板１２，右側の側板２にドライバーを使用して締め付け固定する。このとき、オス金具は、側板１，２，仕切板１１，１２に形成されたダボ穴に取付ける。
（７）次に、固定用の棚板２１，３１，４１をそれぞれ側板１と仕切板１１間，仕切板１１，１２間，仕切板１２と側板２間にそれぞれに挿入し、側板１，２，仕切板１１，１２から突出したオス金具に載せるようにして、オス金具を、固定用の棚板２１，３１，４１に設けられた結合金具５０を構成する、メス金具（例えば、ラフィックス本体）に結合し、メス金具をドライバーで締め付けることにより固定用の棚板２１，３１，４１を側板１と仕切板１１間，仕切板１１，１２間，仕切板１２と側板２間に強固に固定する。
なお、固定用の棚板２１，３１，４１の固定位置は、仕切板１１，１２の高さの半分以下であることが安定的に仕切板１１，１２を固定する点において好ましい。
また、側板１，２，上下取付板４，５，仕切板１１，１２に設けられたダボ穴は、気になるようであれば、取り外し可能なピン状の穴塞ぎを使用して隠蔽しても良い。
【００２４】
そして、その他の棚板２２，２３，３２，４２〜４４をダボＴを介して側板１と仕切板１１の間、仕切板１１，１２間、及び仕切板１２と側板２の間に取付ける。棚板２２，２３，３２，４２〜４４はダボＴ上に載置されるものであり、側板１，２や仕切板１１，１２に直接固定されるものではない。なお、棚板２２，２３，３２，４２〜４４とともに、あるいはこれら棚板とともに引出等を取付けることも可能である。また、特にキャスター付きのコンテナ型の収納ボックス（図示を省略した）を床面１００から枠体内に出し入れすることができる。このとき、仕切板１１，１２の下面には仕切板１１，１２の厚さよりはみ出した固定部材は特に設けられていないので、キャスター付きのコンテナ型の収納ボックスのスムースな出し入れが可能になる。つまり、側板１と仕切板１１の間の幅一杯、仕切板１１，１２間の幅一杯、仕切板１２と側板２の間の幅一杯までキャスター付きのコンテナ型の収納ボックスを入れることができる。
【００２５】
このように施工された収納装置では、仕切板１１，１２は、その上面側と後側上部と後側下部の３個所が結合部材５０を介して天板３と上下取付板４，５に固定されるとともに、側板１と仕切板１１の間、仕切板１１，１２間、及び仕切板１２と側板２の間には固定用の棚板２１，３１，４１が結合部材５０を介して固定されているので、仕切板１１，１２の下面を直接床面１００に固定しなくても仕切板１１，１２は安定性がよく、ぐらつくことはない。
そして、もし、施工完成後、仕切板１１，１２の位置を変更したい場合、例えば、図２に示した状態から図３に示した状態に変更したい場合は、これまで示した手順を逆に辿り、固定用の棚板も含めた棚板２１〜２３，３１，３２，４１〜４４を撤去し、仕板板１１，１２の固定を順次解除してから、新たな位置に仕切板１１，１２を移設し、再び一旦撤去した棚板２１〜２３，３１，３２，４１〜４４を取付ければ良い。仕切板１１，１２の位置変更に関しては上下取付板４，５に設けられたダボ穴４ａ，５ａの位置内ならば自由に変更が可能である。なお、仕切板１１，１２の位置を変更する場合等に仕切板１１，１２の下面が床面１００に当接し、床面１００を傷付ける場合が考えられるので、この防止策として、仕切板１１，１２の下面に傷防止用のフェルトやゴム等の緩衝材を装着するようにしてもよい。
【００２６】
なお、本実施形態では、仕切板１１，１２を２つ使用した例を示したが、仕切板の撤去や追加は自在であり、例えば、仕切板を１つにすることもできる。
また、本実施形態では、側板１と仕切板１１の間に固定用の棚板２１、仕切板１１，１２間に固定用の棚板３１、仕切板１２と側板２の間に固定用の棚板４１を設けるようにしたが、安定性の見地から一枚の仕切板が固定用の棚板によって隣接する仕切板又は側面のいずれか一方に必ず固定されるようなものであればよい。よって、例えば、左側の仕切板１１であれば、固定用の棚板２１で左側の側板１と固定されるか、あるいは、固定用の棚板３１で隣接する仕切板１２に固定されるようになっていればよい。また、右側の仕切板１２であれば、固定用の棚板４１で右側の側板２と固定されるか、あるいは、固定用の棚板３１で隣接する仕切板１１に固定されるようになっていればよい。つまり、仕切板の数を（２Ｎ−１）枚、あるいは２Ｎ枚（ただし、Ｎ＝１，２，３，・・・）とした場合、固定用の棚板の数は少なくともＮ枚必要になることを意味する。
【００２７】
また、本実施形態では、取付板４，５を、水平に延びる上下２本の板材で構成したが、その上下の間隔は特に限定されるものではなく、仕切板１１，１２を安定して固定しうる間隔であればよい。また、枠体の背面全体を覆うような１枚の背板とすることもできる。
【００２８】
また、仕切板１１，１２は板状のものとしたが、図６に示すように、外観形状が矩形状の仕切板１１１（ａ），コ字状の仕切板１１２（ｂ），Ｈ字状の仕切板１１３（ｃ）といったスケルトンタイプのものを使用することもできる。
【００２９】
また、本実施形態では、仕切板１１，１２の下面には、特に固定部材を設けないようにしたが、これにかえて、床面１００に損傷を与えない固定部材、例えば、図７に示すような、ゴムやフェルト付きのアジャスター金具６００を設け、その固定部材６００を使用して床面１００に固定するようにしてもよい。なお、アジャスター金具６００は、仕切板１１，１２の左右より突出することがないように仕切板１１，１２の厚みよりも幅の狭いものが使用されている。
すなわち、図８（ａ）に示すような、Ｌ金具７０１を仕切板１１，１２の下面に固定した場合には、床面１００に損傷を与えるとともに、キャスター付きのコンテナ型の収納ボックスの出し入れに邪魔になり、また、図８（ｂ）に示すような、金属性の突起が下部に形成された金具７０２を仕切板１１，１２の下面に固定した場合には、床面１００に損傷を与えることになるから使用することができない。また、仕切板１１，１２の下面に床面１００との固定用に接着剤を使用した場合には、床面１００が汚れるので使用を避けた方がよい。
【００３０】
また、本実施形態で設けるようにした固定用の棚板２１，３１，４１にかえてパイプ（図示を省略した）を使用し、そのパイプを着脱可能な結合部材によって側板又は隣接する仕切板に固定するようにしてもよい。
さらには、固定用の棚板２１，３１，４１を伸縮自在で固定時（伸縮調整後）にはその伸縮を不可とするロック機構を有する棚板や、同じく伸縮自在で固定時（伸縮調整後）にはその伸縮を不可とするロック機構を有するパイプで構成することもできる。これによれば、棚板やパイプの幅を気にせずとも自在に設置することができ、伸縮しない固定用の棚板、パイプを使用した場合と同様に、仕切板１１，１２の下部を床面１００に固定しなくても十分な強度を付与することができる。
また、取付板４，５と壁面あるいは間仕切りを形成する面材とを共有あるいは一体化することができる。
【図面の簡単な説明】
【００３１】
【図１】本実施形態に係る収納装置の外観を示す斜視図である。
【図２】本実施形態に係る収納装置を示す正面図である。
【図３】図２に示す収納装置において、仕切板及び棚板の位置を変更した場合を示す正面図である。
【図４】本実施形態に係る収納装置を構成する仕切板の固定状態を示す拡大斜視図である。
【図５】本実施形態に係る収納装置を構成する仕切板の固定状態の別の態様を示す拡大斜視図である。
【図６】本実施形態に係る収納装置を構成する仕切板の別の態様を示す斜視図である。
【図７】本実施形態に係る収納装置を構成する仕切板の下面に、床面に損傷を与えない固定部材を設けた状態を示す斜視図である。
【図８】仕切板の下面に床面に損傷を与える固定部材を設けた状態を示す斜視図である。
【符号の説明】
【００３２】
１      側板（左側板）
２      側板（右側板）
３      天板
３ａ    ダボ穴
４      上側取付板
４ａ    ダボ穴
５      下側取付板
５ａ    ダボ穴
１１      仕切板
１１ａ    ダボ穴
１１ｂ    切り欠き
１２      仕切板
１２ａ    ダボ穴
１２ｂ    切り欠き
２１，３１，４１      固定用の棚板
２２，２３，３２，４２〜４４      棚板
５０      結合部材
１００      床面
１１１，１１２，１１３      仕切板
６００      アジャスター金具
７０１      Ｌ金具
７０２      金具
Ｔ      ダボ
【図１】
2006223459.tif 000003
【図２】
2006223459.tif 000004
【図３】
2006223459.tif 000005
【図４】
2006223459.tif 000006
【図５】
2006223459.tif 000007
【図６】
2006223459.tif 000008
【図７】
2006223459.tif 000009
【図８】
2006223459.tif 000010
【手続補正書】
【提出日】平成18年5月8日(2006.5.8)
【手続補正１】
【補正対象書類名】特許請求の範囲
【補正対象項目名】全文
【補正方法】変更
【補正の内容】
【特許請求の範囲】
【請求項１】
左右両側板の上部に天板が接合されてなる枠体と、
その枠体の背面側に設けられた取付板と、
前記枠体内に設けられ、枠体内空間を左右に分割する仕切板と、
その仕切板と前記側板の間に設けられた一又は二以上の棚板と、からなり、しかも地板のない収納装置であって、
前記仕切板は、前記天板と取付板に着脱可能な結合部材によって固定されるとともに、前記仕切板の取付位置を、前記枠体内の左右方向の所定位置に変更可能にしたことを特徴とする収納装置。
【請求項２】
左右両側板の上部に天板が接合されてなる枠体と、
その枠体の背面側に設けられた取付板と、
前記枠体内に設けられ、枠体内空間を左右に分割する一又は二以上の仕切板と、
その仕切板と前記側板の間、又は／及び、隣接する仕切板間に設けられた一又は二以上の棚板と、からなり、しかも地板のない収納装置であって、
前記仕切板は、前記天板と取付板に着脱可能な結合部材によって固定されるとともに、前記仕切板の取付位置を、前記枠体内の左右方向の所定位置に変更可能にし、しかも、前記仕切板は、少なくとも一枚の、着脱可能な結合部材によって固定される固定用の棚板によって、前記隣接する仕切板又は前記側板に必ず固定されるようにしたことを特徴とする収納装置。
【請求項３】
左右両側板の上部に天板が接合されてなる枠体と、
その枠体の背面側に設けられた取付板と、
前記枠体内に設けられ、枠体内空間を左右に分割する一又は二以上の仕切板と、
その仕切板と前記側板の間、又は／及び、隣接する仕切板間に設けられた一又は二以上の棚板と、からなり、しかも地板のない収納装置であって、
前記仕切板は、前記天板と取付板に着脱可能な結合部材によって固定されるとともに、前記仕切板の取付位置を、前記枠体内の左右方向の所定位置に変更可能にし、しかも、前記仕切板は、少なくとも一本の、着脱可能な結合部材によって固定される固定用のパイプによって、前記隣接する仕切板又は前記側板に必ず固定されるようにしたことを特徴とする収納装置。
【請求項４】
前記仕切板は、床面に固定部材を使用しての固定はされていないことを特徴とする請求項１乃至３のうちいずれか一つに記載の収納装置。
【請求項５】
前記仕切板の下面には、仕切板の前記左右より突出することがないように仕切板の厚みよりも狭く、かつ床面に損傷を与えない固定部材が設けられ、仕切板は、その固定部材を使用して床面に固定されていることを特徴とする請求項１乃至３のうちいずれか一つに記載の収納装置。
【請求項６】
前記取付板は、前記枠体の背面側の下部に設けられた水平に延びる板材であることを特徴とする請求項１乃至５のうちいずれか一つに記載の収納装置。
【請求項７】
前記取付板は、水平に延びる上下２本の板材であり、壁面に固定可能であることを特徴とする請求項１乃至５のうちいずれか一つに記載の収納装置。
【手続補正２】
【補正対象書類名】明細書
【補正対象項目名】０００７
【補正方法】変更
【補正の内容】
【０００７】
上記の目的を達成するために、本発明の収納装置は、左右両側板の上部に天板が接合されてなる枠体と、その枠体の背面側に設けられた取付板と、前記枠体内に設けられ、枠体内空間を左右に分割する仕切板と、その仕切板と前記側板の間に設けられた一又は二以上の棚板と、からなり、しかも地板のない収納装置であって、
前記仕切板は、前記天板と取付板に着脱可能な結合部材によって固定されるとともに、前記仕切板の取付位置を、前記枠体内の左右方向の所定位置に変更可能にしたことを特徴とする。
【手続補正３】
【補正対象書類名】明細書
【補正対象項目名】０００８
【補正方法】変更
【補正の内容】
【０００８】
また、本発明の収納装置は、左右両側板の上部に天板が接合されてなる枠体と、その枠体の背面側に設けられた取付板と、前記枠体内に設けられ、枠体内空間を左右に分割する一又は二以上の仕切板と、その仕切板と前記側板の間、又は、隣接する仕切板間、あるいは、仕切板と前記側板の間及び隣接する仕切板間の両方、に設けられた一又は二以上の棚板と、からなり、しかも地板のない収納装置であって、
前記仕切板は、前記天板と取付板に着脱可能な結合部材によって固定されるとともに、前記仕切板の取付位置を、前記枠体内の左右方向の所定位置に変更可能にし、しかも、前記仕切板は、少なくとも一枚の、着脱可能な結合部材によって固定される固定用の棚板によって、前記隣接する仕切板又は前記側板に必ず固定されるようにしたことを特徴とする。
さらに、本発明の収納装置は、左右両側板の上部に天板が接合されてなる枠体と、その枠体の背面側に設けられた取付板と、前記枠体内に設けられ、枠体内空間を左右に分割する一又は二以上の仕切板と、その仕切板と前記側板の間、又は、隣接する仕切板間、あるいは、仕切板と前記側板の間及び隣接する仕切板間の両方、に設けられた一又は二以上の棚板と、からなり、しかも地板のない収納装置であって、
前記仕切板は、前記天板と取付板に着脱可能な結合部材によって固定されるとともに、前記仕切板の取付位置を、前記枠体内の左右方向の所定位置に変更可能にし、しかも、前記仕切板は、少なくとも一本の、着脱可能な結合部材によって固定される固定用のパイプによって、前記隣接する仕切板又は前記側板に必ず固定されるようにしたことを特徴とする。
【手続補正４】
【補正対象書類名】明細書
【補正対象項目名】０００９
【補正方法】変更
【補正の内容】
【０００９】
前記仕切板は、床面に固定部材を使用しての固定はされていないことが好ましい。
また、これにかえて、前記仕切板の下面に、仕切板の前記左右より突出することがないように仕切板の厚みよりも狭く、かつ床面に損傷を与えない固定部材を設け、仕切板を、その固定部材を使用して床面に固定するようにすることもできる。
【手続補正５】
【補正対象書類名】明細書
【補正対象項目名】００１０
【補正方法】変更
【補正の内容】
【００１０】
また、前記取付板を、前記枠体の背面側の下部に設けられた水平に延びる板材で構成することもできる。さらに、前記取付板を、水平に延びる上下２本の板材でしかも壁面に固定可能に構成することもできる。
【手続補正６】
【補正対象書類名】明細書
【補正対象項目名】００１１
【補正方法】削除
【補正の内容】
【手続補正７】
【補正対象書類名】明細書
【補正対象項目名】００１３
【補正方法】削除
【補正の内容】